【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
複数の識別情報による可変表示ゲームを表示可能な可変表示装置と、
一般入賞領域と、遊技球の入賞に基づき遊技者にとって有利な特別遊技状態を発生可能な特別入賞領域とを有し、受け入れた遊技球を前記可変表示ゲームの停止結果態様に応じて該一般入賞領域あるいは特別入賞領域の何れかに振り分け可能な入賞球振分手段を備えた遊技機において、
前記入賞球振分手段は、受け入れた遊技球を保持可能な切欠状の球保持部が円周部に形成された回転体を、前記一般入賞領域および特別入賞領域の上方に配設して、予め定められた特定位置において該球保持部に遊技球を受け入れるとともにその保持した遊技球を該回転体の回転方向に応じて該一般入賞領域或いは特別入賞領域の何れかに移送可能に構成されて、前記可変表示ゲームの停止結果態様に基づいて該回転体の回転方向を決定するものとし、
前記回転体の回転動作を行わせるモータと、
前記モータの回転に応じた前記球保持部の位置を検出する位置検出手段と、
電源復旧時に、前記位置検出手段からの検出信号に基づいて、前記球保持部が前記特定位置にないと判定した場合に、前記モータを所要の回転方向に作動させることで該球保持部を該特定位置に戻すように前記回転体を復帰動作させる制御手段と、
を備え、
前記制御手段は、前記回転体を復帰動作させる場合に、前記位置検出手段からの検出信号に基づいて、前記球保持部の復帰経路途中に前記各入賞領域が存在しない復帰経路となるように前記モータの回転方向を決定する回転方向決定手段を備えることを特徴とする遊技機。
【請求項２】
前記位置検出手段は、前記モータの作動に応じて回転される円板状の遮光板と、第１の光センサと第２の光センサから構成され、
前記遮光板には、
前記第１の光センサに対応して、前記球保持部の前記特定位置を検出するために当該遮光板の円周部に形成されるスリット形状の透光部と、
前記第２の光センサに対応して、前記球保持部の大まかな位置を検出するために当該遮光板を形成する平板部の内側面に、円周部よりも該遮光板の中心方向に所定間隔を設けて開口される円弧状の透光部と、
を有し、
前記回転方向決定手段は、前記回転体を復帰動作させる場合に、前記第２の光センサからの検出信号に基づいて、前記モータの回転方向を決定することを特徴とする請求項２に記載の遊技機。
【請求項３】
遊技者にとって有利な第１状態と遊技者にとって不利な第２状態とに変換可能な変動入賞装置と、
遊技球の入賞に基づき前記変動入賞装置の前記第１状態への変換条件を付与可能な特定入賞領域と、
を備え、
前記特別遊技状態の発生中において前記特定入賞領域へ遊技球が入賞した場合に、前記変動入賞装置の前記第１状態への変換条件を付与するようにしたことを特徴する請求項１または請求項２に記載の遊技機。
【手続補正２】
【補正対象書類名】明細書
【補正対象項目名】０００９
【補正方法】変更
【補正の内容】
【０００９】
【課題を解決するための手段】
上記目的を達成するため本発明は、複数の識別情報による可変表示ゲームを表示可能な可変表示装置（１５）と、一般入賞領域（一般入賞口１９）と、遊技球の入賞に基づき遊技者にとって有利な特別遊技状態を発生可能な特別入賞領域（特別入賞口１８）とを有し、受け入れた遊技球を前記可変表示ゲームの停止結果態様に応じて該一般入賞領域あるいは特別入賞領域の何れかに振り分け可能な入賞球振分手段（役物装置１７）を備えた遊技機において、前記入賞球振分手段は、受け入れた遊技球を保持可能な切欠状の球保持部（４１）が円周部に形成された回転体（４０）を、前記一般入賞領域および特別入賞領域の上方に配設して、予め定められた特定位置において該球保持部に遊技球を受け入れるとともにその保持した遊技球を該回転体の回転方向に応じて該一般入賞領域或いは特別入賞領域の何れかに移送可能に構成されて、前記可変表示ゲームの停止結果態様に基づいて該回転体の回転方向を決定するものとし、前記回転体の回転動作を行わせるモータ（Ｍ１）と、前記モータの回転に応じた前記球保持部の位置を検出する位置検出手段と、電源復旧時に、前記位置検出手段からの検出信号に基づいて、前記球保持部が前記特定位置にないと判定した場合に、前記モータを所要の回転方向に作動させることで該球保持部を該特定位置に戻すように前記回転体を復帰動作させる制御手段（遊技制御装置２００）とを備え、前記制御手段は、前記回転体を復帰動作させる場合に、前記位置検出手段からの検出信号に基づいて、前記球保持部の復帰経路途中に前記各入賞領域が存在しない復帰経路となるように前記モータの回転方向を決定する回転方向決定手段（遊技制御装置２００）を備える。


【手続補正３】
【補正対象書類名】明細書
【補正対象項目名】００１０
【補正方法】変更
【補正の内容】
【００１０】
これにより、何らかの原因（例えば、係員がつまった遊技球の排除等の目的で遊技機のガラス枠を開けた場合や、不具合の発生により一旦電源を落として不具合の解消作業を行った場合に発生する振動など）で球保持部が特定位置からずれてしまった場合に、制御手段は、位置検出手段の検出信号に基づいて、球保持部を特定位置に戻すように回転体を復帰させることができる。しかも制御手段に備えられる回転方向決定手段により、前記回転体を復帰動作させる場合に、前記位置検出手段からの検出信号に基づいて、前記球保持部が適正な経路で戻るように前記モータの回転方向を決定するようにしたので、例えば回転体の復帰動作時に球保持部に遊技球が保持されていても、球保持部の遊技球が本来の遊技状態と異なる入賞領域に入賞してしまう等の問題を解消することができるという効果がある。
また、保持した遊技球を一般入賞領域或いは特別入賞領域の何れかに確実に移送することが可能となる。


【手続補正４】
【補正対象書類名】明細書
【補正対象項目名】００１１
【補正方法】変更
【補正の内容】
【００１１】
なお、前記位置検出手段は、前記モータの作動に応じて回転される円板状の遮光板と、第１の光センサと第２の光センサから構成され、前記遮光板には、前記第１の光センサに対応して、前記球保持部の前記特定位置を検出するために当該遮光板の円周部に形成されるスリット形状の透光部と、前記第２の光センサに対応して、前記球保持部の大まかな位置を検出するために当該遮光板を形成する平板部の内側面に、円周部よりも該遮光板の中心方向に所定間隔を設けて開口される円弧状の透光部とを有し、前記回転方向決定手段は、前記回転体を復帰動作させる場合に、前記第２の光センサからの検出信号に基づいて、前記モータの回転方向を決定することができる。これにより、前記球保持部の位置を容易かつ正確に検出することができる。前記球保持部を適正位置で確実に停止させることができるとともに、前記球保持部の大まかな位置を把握して前記復帰動作時のモータの回転方向を正確に決定させることができ、回転体を復帰動作させる場合に確実に球保持部が適正な経路で戻るように動作させることが可能となる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、遊技者にとって有利な第１状態と遊技者にとって不利な第２状態とに変換可能な変動入賞装置と、遊技球の入賞に基づき前記変動入賞装置の前記第１状態への変換条件を付与可能な特定入賞領域とを備え、前記特別遊技状態の発生中において前記特定入賞領域へ遊技球が入賞した場合に、前記変動入賞装置の前記第１状態への変換条件を付与するようにできる。これにより、上記構成の遊技機においても通常の遊技状態はもちろん、電源の復旧時にも何ら問題なく回転体の復帰動作を行うことができる。


【手続補正９】
【補正対象書類名】明細書
【補正対象項目名】００１６
【補正方法】削除
【補正の内容】
【手続補正１０】
【補正対象書類名】明細書
【補正対象項目名】００３２
【補正方法】変更
【補正の内容】
【００３２】
ここで、前出の図１に戻って、特定入賞領域としての第３種始動入賞装置２０について説明する。第３種始動入賞装置２０は、上記可変表示装置１５の右下側に配設されている。この第３種始動入賞装置２０は円環状の周壁２１の上部に球流入部２２を形成し、周壁２１の内側で回転部材２３が例えば時計回り方向に所定の速度で常時回転する構成となっていて、球流入部に流入した遊技球を該回転部材２３の外周部の上部に乗せた状態で保留可能となっている。回転体２３の外周部には遊技球が１個だけ受け入れ可能な球受入部２３ａが形成されている。また、回転部材２３の下方には第３種始動入賞口２４および第３種始動入賞口センサ２０ａが設けられている。そして、回転部材２３の上部に遊技球が保留している状態で回転部材２３の回転に伴って球受入部２３ａが球流入部２２に到来すると該保留された遊技球は球受入部２３ａに受け入れられて、回転体部材２３の回転に伴って球受入部２３ａは下方へ移動し、球受入部２３ａが第３種始動口２４まで至ると、球保持部２３ａに受け入れられていた遊技球が第３種始動入賞口２４へ入賞するようになっている。そして入賞した遊技球が第３種始動入賞口センサ２０ａに検出されると、後述のように変動入賞装置５０が開成されて遊技者にとって有利な第２状態となる。


【手続補正１１】
【補正対象書類名】明細書
【補正対象項目名】００７２
【補正方法】変更
【補正の内容】
【００７２】
【発明の効果】
本発明は、複数の識別情報による可変表示ゲームを表示可能な可変表示装置と、一般入賞領域と、遊技球の入賞に基づき遊技者にとって有利な特別遊技状態を発生可能な特別入賞領域とを有し、受け入れた遊技球を前記可変表示ゲームの停止結果態様に応じて該一般入賞領域あるいは特別入賞領域の何れかに振り分け可能な入賞球振分手段を備えた遊技機において、前記入賞球振分手段は、受け入れた遊技球を保持可能な切欠状の球保持部が円周部に形成された回転体を、前記一般入賞領域および特別入賞領域の上方に配設して、予め定められた特定位置において該球保持部に遊技球を受け入れるとともにその保持した遊技球を該回転体の回転方向に応じて該一般入賞領域或いは特別入賞領域の何れかに移送可能に構成されて、前記可変表示ゲームの停止結果態様に基づいて該回転体の回転方向を決定するものとし、前記回転体の回転動作を行わせるモータと、前記モータの回転に応じた前記球保持部の位置を検出する位置検出手段と、電源復旧時に、前記位置検出手段からの検出信号に基づいて、前記球保持部が前記特定位置にないと判定した場合に、前記モータを所要の回転方向に作動させることで該球保持部を該特定位置に戻すように前記回転体を復帰動作させる制御手段とを備え、前記制御手段は、前記回転体を復帰動作させる場合に、前記位置検出手段からの検出信号に基づいて、前記球保持部の復帰経路途中に前記各入賞領域が存在しない復帰経路となるように前記モータの回転方向を決定する回転方向決定手段を備えたので、何らかの原因（例えば、係員がつまった遊技球の排除等の目的で遊技機のガラス枠を開けた場合や、不具合の発生により一旦電源を落として不具合の解消作業を行った場合に発生する振動など）で球保持部が特定位置からずれてしまった場合に、制御手段は、位置検出手段の検出信号に基づいて、球保持部を特定位置に戻すように回転体を復帰させることができる。しかも制御手段に備えられる回転方向決定手段により、前記回転体を復帰動作させる場合に、前記位置検出手段からの検出信号に基づいて、前記球保持部が適正な経路で戻るように前記モータの回転方向を決定するようにしたので、例えば回転体の復帰動作時に球保持部に遊技球が保持されていても、球保持部の遊技球が本来の遊技状態と異なる入賞領域に入賞してしまう等の問題を解消することができるという効果がある。